(57)【要約】      （修正有）【課題】動力駆動の自動車のパーク手段を動力の非存在下で安全に手動解除するための方法を提供する。【解決手段】動力駆動のセレクタ軸１２５を１又は複数の車輪がパーク手段によってロックされるパークモード位置から１又は複数の車輪がパーク手段によって解除されるパーク解除モード位置へ回転させることと、セレクタ軸をロック手段によって解除モード位置にロックすることとを含み、これによりセレクタ軸を解除モード位置に回転させてその後セレクタ軸を解除モード位置にロックする連続的な工程が、１又は複数の部材の第１の方向及び第２の方向それぞれへの手動による移動又は回転を含み、第１の方向が第２の方向と異なる方法が提供される。【選択図】図１
2018025303.tif 000002
【特許請求の範囲】
【請求項１】
動力駆動の自動車のパーク手段を動力の非存在下で手動解除するための方法であって、以下の工程：
動力駆動のセレクタ軸を、前記セレクタ軸に接続されたハンドルを前記ハンドルの解除モード位置へ回転させることにより、１又は複数の車輪が前記パーク手段によってロックされるパークモード位置から前記１又は複数の車輪が前記パーク手段によって解除されるパーク解除モード位置へ回転させることと、
ロッキングピン部材によってセレクタ軸を前記解除モード位置にピン留めすることにより、前記セレクタ軸を前記解除モード位置にロックすること
を備える方法。
【請求項２】
前記セレクタ軸を前記解除モード位置にロックする工程が、前記ハンドルの開口部に前記ロッキングピン部材を挿入して前記ロッキングピン部材を前記セレクタ軸の回転軸に関して実質的に固定された開口部にピン留めすることを含む請求項１に記載の方法。
【請求項３】
前記ロッキングピン部材を前記開口部にピン留めする工程が、前記ロッキングピン部材をその保持手段によって前記開口部内にロックすることを含み、これにより前記ロッキングピン部材が最初に外されるまで前記ロッキングピン部材が取り外されることを抑制する請求項１又は２に記載の方法。
【請求項４】
前記ロッキングピン部材を前記開口部にロックする工程が、前記ロッキングピン部材の実質的にＴ形状を有する保持部を前記開口部へ挿入し、前記ロッキングピン部材をねじることを含む請求項３に記載の方法。
【請求項５】
動力駆動の自動車のパーク手段を動力の非存在下で手動解除するための方法であって、以下の連続的な工程：
動力駆動のセレクタ軸を、前記セレクタ軸に接続されたハンドルを前記ハンドルの解除モード位置へ回転させることにより、１又は複数の車輪が前記パーク手段によってロックされるパークモード位置から前記１又は複数の車輪が前記パーク手段によって解除されるパーク解除モード位置へ回転させることと、
前記ハンドルの少なくとも一部を移動させることにより前記セレクタ軸を前記解除モード位置にロックし、これにより前記セレクタ軸を前記解除モード位置にロックすること
を含む方法。
【請求項６】
前記セレクタ軸を前記解除モード位置にロックする工程が、前記ハンドルをラッチ機構によってロックすることを含む請求項５に記載の方法。
【請求項７】
前記ハンドルが、第１の形状形態及び第２の形状形態をとるように操作可能な双安定の長手部材を含み、
前記方法が、前記第１の形状形態の前記長手部材の前記ハンドルを前記セレクタ軸の軸の周りで回転させこれにより前記セレクタ軸を前記パークモード位置から前記パーク解除モード位置へ回転させ、その後、１又は複数の部品を有する前記ハンドルの干渉によって前記セレクタ軸が前記パークモード位置へ回転して戻ることを抑制するように前記長手部材が前記第２の形状形態をとるようにさせることを含む請求項５又は６に記載の方法。
【請求項８】
前記長手部材が前記第２の形状形態をとるようにさせる工程が、前記ハンドルの一部を部品（随意には前記パーク手段の部品）の一部に形成された凹部に侵入させることを含む請求項７に記載の方法。
【請求項９】
動力駆動の自動車のパーク手段を動力の非存在下で手動解除するための方法であって、以下の連続的な工程：
動力駆動のセレクタ軸を１又は複数の車輪が前記パーク手段によってロックされるパークモード位置から前記１又は複数の車輪が前記パーク手段によって解除されるパーク解除モード位置へ回転させることと、
前記セレクタ軸をフック部材によって前記解除モード位置にロックすること
を含む方法。
【請求項１０】
前記セレクタ軸を前記解除モード位置に回転させる工程が、前記セレクタ軸に接続されたハンドルを前記ハンドルの解除モード位置へ回転させることを含む請求項９に記載の方法。
【請求項１１】
前記フック部材の一部が前記ハンドルに接続されており、前記セレクタ軸を前記解除モード位置にロックする工程が、前記フック部材の他の部分をアンカーポイントに引っかけることを含み、前記アンカーポイントが、前記軸の回転軸に関して実質的に固定された位置に設けられる請求項１０に記載の方法。
【請求項１２】
前記アンカーポイントが開口部を含み、前記方法が、ロッキングピン部材を前記開口部に挿入し、前記フック部材を前記ロッキングピン部材に引っかけることを含む請求項１１に記載の方法。
【請求項１３】
前記フック部材の第１部分が、前記軸の回転軸に関して実質的に固定された位置に設けられたアンカーポイントに接続されており、前記セレクタ軸を前記解除モード位置にロックする工程が、前記フック部材の第２部分を前記ハンドルに引っかけることを含む請求項１０に記載の方法。
【請求項１４】
前記セレクタ軸を前記解除モード位置に回転させ、その後前記セレクタ軸を前記解除モード位置にロックする連続的な工程が、１又は複数の部材の第１の方向及び第２の方向それぞれへの手動による移動又は回転を含み、前記第１の方向が前記第２の方向と異なる請求項１〜１３のいずれか１項に記載の方法。
【請求項１５】
前記セレクタ軸を前記解除モード位置に回転させ、その後前記セレクタ軸を前記解除モード位置にロックする工程が、前記１又は複数の部材による第１の方向及び第２の方向に実質的に直交する移動又は回転を必要とする請求項１４に記載の方法。
【請求項１６】
前記セレクタ軸をボーデンケーブル機構によって前記パーク解除モード位置へ回転させることを含む請求項１〜１５のいずれか１項に記載の方法。
【請求項１７】
前記方法が、オートマチックトランスミッションをパークモードから解除するための方法である請求項１〜１６のいずれか１項に記載の方法。
【請求項１８】
前記方法が、電動パーキングブレーキをブレーキオンモードから解除するための方法である請求項１〜１６のいずれか１項に記載の方法。
【請求項１９】
自動車の１又は複数の車輪を実質的に静止した状態でロックするように操作可能な動力駆動のパーク手段であって、前記パーク手段の操作モードを選択するための動力駆動のセレクタ軸を含み、前記セレクタ軸が、１又は複数の車輪が前記パーク手段によってロックされるパークモード位置と１又は複数の車輪が前記パーク手段によって解除されるパーク解除モード位置との間で回転可能である前記パーク手段と、
前記セレクタ軸を前記パーク解除モード位置にロックするためのロック手段であって、前記セレクタ軸を前記解除モード位置にピン留めするように操作可能なロッキングピン部材を含む前記ロック手段と、
前記セレクタ軸に接続されたハンドルであって、前記軸をその回転によって前記解除モード位置に回転させるように操作可能な前記ハンドルと
を備え、
前記セレクタ軸が前記パーク解除モード位置に回転可能で前記ロック手段により前記パーク解除モード位置にロックされるように前記パーク手段が操作可能である自動車。
【請求項２０】
前記ハンドルの部材が、前記ロッキングピン部材の前記ハンドルの部材の一部に形成された開口部への挿入によって前記パーク解除モード位置にロックされるように操作可能である請求項１９に記載の自動車。
【請求項２１】
前記ロッキングピン部材が、前記ロッキングピン部材を前記開口部内でロックすることが可能な保持手段を含み、これにより、前記ロッキングピン部材が最初に外されるまで前記ロッキングピン部材が取り外されることを抑制する請求項１９又は２０に記載の自動車。
【請求項２２】
前記保持手段が、前記ロッキングピン部材の実質的にＴ形状部の形態で設けられており、前記保持手段が開口部に導入可能で前記ロッキングピン部材が前記ロッキングピン部材を前記開口部内でロックするようにねじられるように、前記ロッキングピン部材及び前記開口部が配置されている請求項２１に記載の方法。
【請求項２３】
自動車の１又は複数の車輪を実質的に静止した状態でロックするように操作可能な動力駆動のパーク手段であって、前記パーク手段の操作モードを選択するための動力駆動のセレクタ軸を含み、前記セレクタ軸が、１又は複数の車輪が前記パーク手段によってロックされるパークモード位置と１又は複数の車輪が前記パーク手段によって解除されるパーク解除モード位置との間で回転可能である前記パーク手段と、
前記セレクタ軸を前記パーク解除モード位置にロックするためのロック手段と、
前記セレクタ軸に接続されたハンドルであって、前記軸をその回転によって前記解除モード位置に回転させるように操作可能な前記ハンドルと、
を備え、
前記セレクタ軸が前記パーク解除モード位置に回転可能で前記ロック手段により前記ハンドルの少なくとも一部を移動させることにより前記パーク解除モード位置にロックされるように前記パーク手段が操作可能である自動車。
【請求項２４】
前記セレクタ軸を前記解除モード位置にロックするためのラッチ機構を含む請求項２３に記載の自動車。
【請求項２５】
前記ハンドルが、第１の形状形態及び第２の形状形態をとるように操作可能な双安定の長手部材を含み、前記ハンドルが前記第１の形状形態にある場合に、前記ハンドルの対応するパークモード位置から対応するパーク解除モード位置への回転により前記セレクタ軸が前記パークモード位置から前記パーク解除モード位置へ回転可能であり、前記セレクタ軸が前記パーク解除モード位置にある状態で前記ハンドルが前記第２の形状形態をとるように操作可能で、前記セレクタ軸が前記パーク解除モード位置にある状態で前記ハンドルが前記第２の形状形態にある状態で、自動車の１又は複数の部品と干渉することにより前記ハンドルが前記パークモード位置へ回転して戻ることが抑制されることを含む請求項２３又は２４に記載の自動車。
【請求項２６】
前記ハンドルがその前記パークモード解除位置の状態にあり前記第２の形状形態にある状態において、前記ハンドルの一部が自動車の１又は複数の部品により定義された凹部に侵入し、これにより前記ハンドルがその前記パークモード位置に回転して戻ることが抑制されることを含む請求項２５に記載の自動車。
【請求項２７】
自動車の１又は複数の車輪を実質的に静止した状態でロックするように操作可能な動力駆動のパーク手段であって、前記パーク手段の操作モードを選択するための動力駆動のセレクタ軸を含み、前記セレクタ軸が、１又は複数の車輪が前記パーク手段によってロックされるパークモード位置と１又は複数の車輪が前記パーク手段によって解除されるパーク解除モード位置との間で回転可能である前記パーク手段と、
前記セレクタ軸を前記パーク解除モード位置にロックするためのロック手段であって、フック部材を含む前記ロック手段と、
を備え、
前記パーク手段が、前記セレクタ軸が前記パーク解除モード位置に回転可能で前記ロック手段により前記パーク解除モード位置にロックされるように操作可能である自動車。
【請求項２８】
前記セレクタ軸に接続されたハンドルであって、前記軸をその回転によって前記解除モード位置に回転させるように操作可能な前記ハンドルを含む請求項２７に記載の自動車。
【請求項２９】
前記フック部材が前記ハンドルに接続されており、前記フック部材が前記セレクタ軸の回転軸に関して実質的に固定された位置にあるアンカーポイントに引っかけるように操作可能でありこれによりセレクタ軸を前記パークモード解除位置にロックする請求項２８に記載の自動車。
【請求項３０】
前記アンカーポイントが前記フック部材を引っかけることが可能なロッキングピン部材を収容するように配置された開口部を含む請求項２９に記載の自動車。
【請求項３１】
前記フック部材が、前記セレクタ軸の回転軸に関して実質的に固定されたアンカーポイントに接続されており、前記フック部材が前記ハンドルに引っかけられるように操作可能でありこれにより前記ハンドルの動作を抑えて前記セレクタ軸を前記解除モード位置に維持する請求項２８に記載の自動車。
【請求項３２】
電源の非存在下で１又は複数の部材の第１の方向及び第２の方向への手動による移動又は回転によって前記ロック手段により前記パーク解除モード位置にロックされ、前記セレクタ軸が前記パーク解除モード位置に回転可能となるように、前記パーク手段が操作可能であり、前記第１の方向が前記第２の方向と異なる請求項１９〜３１のいずれか１項に記載の自動車。
【請求項３３】
前記１又は複数の部材の第１の方向及び第２の方向に実質的に直交する移動又は回転により、前記パーク手段を解除し、セレクタ軸を前記解除モード位置にロックするように操作可能である請求項３２に記載の自動車。
【請求項３４】
ボーデンケーブル機構を含み、前記ボーデン機構のプル部材が引っ張られる時に前記セレクタ軸を前記パークモード位置から前記パークモード解除位置へ回転させるように操作可能な請求項１９〜３３のいずれか１項に記載の自動車。
【請求項３５】
添付図面を参照してここに実質的に記載された方法又は自動車。
【発明の詳細な説明】
【技術分野】
【０００１】
本発明は、パークロック解除機構及びパークロックの解除方法に関する。
【背景技術】
【０００２】
既知のシフトバイワイヤオートマチックトランスミッション（シフトバイワイヤ自動変速機）は、一般的には、例えば衝突による電池切れやその他の故障などの動力故障が発生した場合には、デフォルトでパーク（駐車）モードになる。よって、トランスミッションによって自動車の車輪がロックされているため、自動車の回収が難しい場合がある。
【０００３】
トランスミッションがパークモードにある場合、自動車の１又は複数の車輪がトランスミッションによってロックされている場合がある。パークモードが解除されると１又は複数の車輪が解放されて、その１又は複数の車輪は自由に回転することができるようになる。トランスミッションの状態は、回転可能なセレクタ軸、セレクタ軸の異なるそれぞれの回転位置に対応する異なるトランスミッションモードによって制御され得る。
【０００４】
ある既知の機構においては、ラッチ解除レバーが、自動車の車室内のダッシュボードトリムパネルの後ろに設けられている。解除レバーは、ボーデンケーブル機構によって、セレクタ軸に固定されたセレクタ軸レバーに接続されている。トランスミッションは、ラッチ解除レバーをラッチ位置へ所要の角度で回転させることにより、パークモードから解除することができ、ここでは、当該レバーは、固定されなくなるまで維持される。レバーが回転すると、ボーデンケーブルは、セレクタ軸レバーをトランスミッションパークモード位置からトランスミッションパーク解除状態位置へと回転させ、これにより、トランスミッションがパークモードから解除される。
【０００５】
トランスミッションセレクタ軸は、典型的には、軸が解除された場合に、軸がトランスミッションのばね部材の付勢の下でパークモード位置へと自動的に回転するように、ばね付勢がされることが理解されるべきである。
【０００６】
他の既知の機構においては、ねじ付きブラケットが、通常動作時におけるセレクタ軸レバーの必要な動きを妨げないような位置で、セレクタ軸レバーに隣接して取り付けられている。トランスミッションをパーク状態から解除することが必要な場合は、ボルトは、ブラケットを介してそれがレバーに当接するまでねじ込まれる。ボルトの連続回転によりセレクタ軸レバーに歪みを生じさせる。ボルトは、セレクタ軸レバーがパーク解除位置に回転するまでブラケットを介してねじ込まれ得る。
【０００７】
この機構の欠点は、ボルトを操作する人がボルトにアクセスするために、移動する自動車の下へ這って行く必要があることである。ボルトが操作される際にもし自動車が予期せず動いた場合、自動車の下にいる人がけがをする恐れがある。更には、自動車の動きを阻止するために、ボルトを操作する人は、ボルトを素早く緩めてトランスミッションがパークモードを再開できるようにしなければならない。実際の状況では、けがが起こる前にボルトを緩めるための時間が十分に無い場合がある。
【０００８】
電動パークブレーキを有する自動車を提供することも知られている。パークブレーキは、電気制御装置の制御の下で電動モーター又は作動流体圧によってセレクタ軸又は作動軸等の軸が回転することにより配置又は解除される。パークブレーキが配置された時に、自動車が電気的故障を受けた場合、自動車は、軸を回転できないことに起因して固定される場合がある。作動流体圧により駆動される軸を有する実施形態では、動力又は作動流体圧が利用できない場合には、自動車が固定される場合がある。
【先行技術文献】
【特許文献】
【０００９】
【特許文献１】米国特許出願公開第２０１１／０３０４９４号明細書
【発明の概要】
【発明が解決しようとする課題】
【００１０】
本発明はこの背景に鑑みてなされたものである。本発明の実施形態は、１又は複数の上記課題に対処するための機構又は方法を提供するものである。本発明の他の目的及び利点は、以下の実施形態、特許請求の範囲及び図面から明らかになるであろう。
【課題を解決するための手段】
【００１１】
本発明の一側面は、添付の特許請求の範囲に記載された方法及び自動車を提供する。
【００１２】
保護が求められる本発明の他の側面によれば、動力駆動の自動車のパーク手段を動力の非存在下で手動解除するための方法であって、以下の連続的な工程：
動力駆動のセレクタ軸を、セレクタ軸に接続されたハンドル手段をハンドル手段の解除モード位置へ回転させることにより、１又は複数の車輪がパーク（駐車）手段によってロックされるパークモード位置から１又は複数の車輪がパーク手段によって解除されるパーク解除モード位置へ回転させることと；
セレクタ軸を、ロッキングピン部材によってセレクタ軸を解除モード位置にピン留めすることにより、解除モード位置にロックすること
を含む方法が提供される。
【００１３】
保護が求められる本発明の更なる側面によれば、動力駆動の自動車のパーク手段を動力の非存在下で手動解除するための方法であって、以下の連続的な工程：
動力駆動のセレクタ軸をセレクタ軸に接続されたハンドル手段をハンドル手段の解除モード位置へ回転させることにより、１又は複数の車輪がパーク手段によってロックされるパークモード位置から１又は複数の車輪がパーク手段によって解除されるパーク解除モード位置へ回転させることと；
ハンドル手段の少なくとも一部を移動させることによりセレクタ軸を解除モード位置にロックし、これによりセレクタ軸を解除モード位置にロックすること
を含む方法が提供される。
【００１４】
保護が求められる本発明の更に別の側面によれば、動力駆動の自動車のパーク手段を動力の非存在下で手動解除するための方法であって、以下の連続的な工程：
動力駆動のセレクタ軸を１又は複数の車輪がパーク手段によってロックされるパークモード位置から１又は複数の車輪がパーク手段によって解除されるパーク解除モード位置へ回転させることと；
セレクタ軸をフック部材によって解除モード位置にロックすることと
を含む方法が提供される。
【００１５】
１又は複数のこれらの側面を含む本発明の実施形態が考えられる。
【００１６】
ロッキングピン部材は長手部材であり得る。代替的には、ロッキングピン部材は任意な適切な形状であり得る。ロッキングピン部材は、アレン（登録商標）キーなどの六角キーを含み得る。
【００１７】
セレクタ軸を解除モード位置に回転させ、その後セレクタ軸を解除モード位置にロックする連続的な工程が、１又は複数の部材の第１の方向及び第２の方向それぞれへの手動による移動又は回転を含み得るものであり、第１の方向は第２の方向とは異なる。
【００１８】
よって、セレクタ軸を解除モード位置に回転させる工程が、１又は複数の部材の第１の方向への移動又は回転を必要とし、セレクタ軸をロックする工程が、１又は複数の部材の第１の方向とは異なる第２の方向への移動又は回転を含むものである。
【００１９】
用語「動力故障」とは、セレクタ軸を駆動するために標準的に用いられる電源の故障を意味することが理解されるべきである。この故障は、電気的に駆動する軸の場合は電圧の損失であり得るし、又は油圧式又は空気圧作動の機構の場合は流体の圧力損失であり得る。
【００２０】
本発明の実施形態は、セレクタ軸をパーク解除モード位置にロックすること無く、セレクタ軸をパークモード位置からパーク解除モード位置に回転可能であるという利点を有する。部材がセレクタ軸を解除するために動く場合と比べて、セレクタ軸をロックするためには部材が異なる方向に動かなければならないため、ユーザーが、故意無くセレクタ軸をパーク解除モード位置にロックしてしまうリスクは低い（ある実施形態では、単一部材が軸を解除してその後ロックするために移動し得るし、ある実施形態では異なるそれぞれの部材が軸を解除してその後ロックするために移動し得るものである）。
【００２１】
セレクタ軸が解除モード位置へ回転した後に、例えば自動車が傾斜面上にあることによって自動車が望ましくない方法で動き、自動車の動きを阻止することが望まれる場合には、セレクタ軸がロック手段を最初に外すか解除する必要なしに、パークモード位置に戻ることできる。すなわち、軸がロック手段によってロックされる前に自動車が動く場合、軸は自動車の動きを阻止するためにパークモード位置に戻ることができる。
【００２２】
ある実施形態では、セレクタ軸は、ばね要素等の付勢手段の付勢の下、パークモード位置に自動的に戻るように配置することができる。これにより、セレクタ軸をパーク解除モード位置に回転させた後に、ユーザーがセレクタ軸をパーク解除モード位置にロックする前にセレクタ軸を解除した場合には、セレクタ軸が付勢手段の付勢の下でパークモード位置へ戻る。
【００２３】
この特徴は、パーク手段を解除する人が、自動車による不慮のかつ過度の移動による不都合をうけるリスクが低減されるという点で、いくつかの既知の機構に比べて利点を有する。パーク手段は、例えばパークモードを有するオートマチックトランスミッションであり、軸は、トランスミッションモードセレクタ軸であり得る。
【００２４】
代替的には、パーク手段が、軸がパークモードセレクタ軸である電動パーキングブレーキであり得る。パークモード位置は、軸のパークブレーキオン位置に対応し、パーク解除モード位置は、軸のパークブレーキオフ位置に対応し得る。
【００２５】
軸がパーク解除モード位置にロックできるという特徴は、自動車が動いている間に軸をパーク解除モード位置に維持するために、人がトランスミッション又はパーキングブレーキを手動で解除する必要がないという利点を有する。
【００２６】
むしろ、一度セレクタ軸が回転すると、人は、軸を解除モード位置にロックすることが安全であると判断することができ、軸を解除モード位置にロックしてその後軸を解除モード位置に手動で保持することなく自動車を動かす。
【００２７】
随意には、セレクタ軸を解除モード位置に回転させ、その後セレクタ軸を解除モード位置にロックする工程が、１又は複数の部材の第１の方向及び第２の方向に実質的に直交する移動又は回転を必要とする。
【００２８】
有利には、セレクタ軸を解除モード位置に回転させる工程が、セレクタ軸に接続されたハンドル手段をハンドル手段の解除モード位置へ回転させることを含むことができる。
【００２９】
随意には、セレクタ軸をロックする工程が、少なくともハンドル手段の一部を移動させることを含み、これによりセレクタ軸を解除モード位置にロックする。
【００３０】
随意には、セレクタ軸をロックする工程が、ラッチ機構によってハンドルをある位置にロックすることを含む。
【００３１】
ラッチ機構は、戻り止め機構を備えることができる。
【００３２】
ハンドルが、第１の形状形態及び第２の形状形態をとるように操作可能な双安定の長手部材を含み、方法が、第１の形状形態の長手部材のハンドル手段をセレクタ軸の軸の周りで回転させ、これによりセレクタ軸をパークモード位置からパーク解除モード位置へ回転させ、その後、１又は複数の部品を有するハンドル手段の干渉によってセレクタ軸がパークモード位置へ回転して戻ることを抑制するように長手部材が第２の形状形態をとるようにさせることを含む。
【００３３】
有利には、長手部材が第２の形状形態をとるようにさせる工程が、ハンドル手段の一部を部品（随意にはパーク手段の部品）の一部に形成された凹部に侵入させることを含む。随意には、ハンドルがパーク解除モードにある場合に、ハンドルが、部品（随意にはパーク手段の部品）内に形成された対応する形状の突部と並んで係合するように配置された開口部又は凹部を含む。
【００３４】
セレクタ軸をロック手段により解除モード位置にロックする工程が、フック部材によって軸を解除モード位置をロックすることを含むことができる。
【００３５】
随意には、フック部材の一部がハンドル手段に接続されており、セレクタ軸を解除モード位置にロックする工程が、フック部材の他の部分をアンカーポイントに引っかけることを含み、アンカーポイントがセレクタ軸の回転軸に関して実質的に固定された位置に設けられる。
【００３６】
アンカーポイントが開口部を含み、方法が、ロッキングピン部材を開口部に挿入し、フック部材をロッキングピン部材に引っかけることを含む。
【００３７】
代替的には、フック部材の第１部分は、軸の回転軸に関して実質的に固定された位置に設けられたアンカーポイントに接続されることができ、セレクタ軸を解除モード位置にロックする工程がフック部材の第２部分をハンドル手段に引っかけることを含むことができる。
【００３８】
随意には、セレクタ軸を解除モード位置にロックする工程が、ロッキングピン部材によって軸を解除モード位置にピン留めすることを含む。
【００３９】
随意には、セレクタ軸を解除モード位置にロックする工程が、ハンドル手段の開口部にロッキングピン部材を挿入してロッキングピン部材をセレクタ軸の回転軸に関して実質的に固定された開口部にピン留めすることを含む。
【００４０】
ロッキングピン部材を開口部にピン留めする工程が、ロッキングピン部材をその保持手段によって開口部内にロックすることを含み、これにより、ロッキングピン部材が最初に外されるまでロッキングピン部材が取り外されることを抑制することを含むことができる。
【００４１】
この特徴は、ロッキングピン部材が意図せずに外れてしまうというリスクを低減させることができるという利点を有する。
【００４２】
ロッキングピン部材を開口部にロックする工程が、ロッキングピン部材の実質的にＴ形状を有する保持部を開口部へ挿入し、ロッキングピン部材をねじることを含む。
【００４３】
この特徴は、比較的単純なロック機構を提供できるという利点を有する。
【００４４】
任意の適切な形状の特徴は、実質的に「Ｔ」形状を有する特徴に限られることなく、ハンドル手段が解除モード位置にある場合にセレクタ軸に関して実質的に固定された溝と協働するように選択的に配置され、これによりハンドル手段が解除モード位置に固定され得ることが理解されるべきである。
【００４５】
有利には、方法が、セレクタ軸をボーデンケーブル機構によってパーク解除モード位置へ回転させることを含むことができる。
【００４６】
方法が、オートマチックトランスミッションをパークモードから解除するための方法であり得る。
【００４７】
代替的には、方法が、電動パーキングブレーキをブレーキオンモードから解除するための方法であり得る。
【００４８】
保護が求められる本発明の側面によれば、以下の工程：
自動車の１又は複数の車輪を実質的に静止した状態でロックするように操作可能な動力駆動のパーク手段であって、パーク手段の操作モードを選択するための動力駆動のセレクタ軸を含み、セレクタ軸が、１又は複数の車輪がパーク手段によってロックされるパークモード位置と１又は複数の車輪がパーク手段によって解除されるパーク解除モード位置との間で回転可能であるパーク手段と；
セレクタ軸をパーク解除モード位置にロックするためのロック手段であって、セレクタ軸を解除モード位置にピン留めするように操作可能なロッキングピン部材を含むロック手段と；
セレクタ軸に接続されたハンドル手段であって、軸をその回転によって解除モード位置に回転させるように操作可能なハンドル手段と
を備え、セレクタ軸が、パーク解除モード位置に回転可能でロック手段によりパーク解除モード位置にロックされるようにパーク手段が操作可能である自動車が提供される。
【００４９】
保護が求められる本発明の更なる側面によれば、自動車の１又は複数の車輪を実質的に静止した状態でロックするように操作可能な動力駆動のパーク手段であって、
パーク手段の操作モードを選択するための動力駆動のセレクタ軸を含み、セレクタ軸が、１又は複数の車輪がパーク手段によってロックされるパークモード位置と１又は複数の車輪がパーク手段によって解除されるパーク解除モード位置との間で回転可能であるパーク手段と；
セレクタ軸をパーク解除モード位置にロックするためのロック手段と、セレクタ軸に接続されたハンドル手段であって、軸をその回転によって解除モード位置に回転させるように操作可能なハンドル手段と
を備え、パーク手段が、ハンドル手段の少なくとも一部を移動させることによりセレクタ軸がパーク解除モード位置に回転可能でロック手段によりパーク解除モード位置にロックされるように操作可能である自動車が提供される。
【００５０】
保護が求められる更に本発明の別の側面によれば、
自動車の１又は複数の車輪を実質的に静止した状態でロックするように操作可能な動力駆動のパーク手段であって、パーク手段の操作モードを選択するための動力駆動のセレクタ軸を含み、セレクタ軸が、１又は複数の車輪がパーク手段によってロックされるパークモード位置と１又は複数の車輪がパーク手段によって解除されるパーク解除モード位置との間で回転可能であるパーク手段と；
セレクタ軸をパーク解除モード位置にロックするためのロック手段であって、フック部材を含むロック手段と；
を備え、パーク手段が、セレクタ軸がパーク解除モード位置に回転可能でロック手段によりパーク解除モード位置にロックされるように操作可能である自動車が提供される。
【００５１】
本発明の実施形態はこれらの２以上の側面を備えることが考えられる。
【００５２】
電源の非存在下で１又は複数の部材の第１の方向及び第２の方向への手動による移動又は回転によってセレクタ軸が手動でパーク解除モード位置に回転してロック手段によって手動でパーク解除モード位置にロックされるようにパーク手段が操作可能であり、第１の方向が第２の方向と異なる。
【００５３】
自動車は、１又は複数の部材の第１の方向及び第２の方向に実質的に直交する移動又は回転によりパーク手段を解除し、セレクタ軸を解除モード位置にロックするように操作可能である。
【００５４】
自動車は、セレクタ軸に接続されたハンドル手段を備えることができ、ハンドル手段は、軸を解除位置にその回転によって回転させるように操作可能である。
【００５５】
自動車は、ハンドル手段の少なくとも一部を移動させることにより、セレクタ軸を解除モード位置にロックするように操作可能である。
【００５６】
自動車は、セレクタ軸を解除モード位置にロックするためのラッチ機構を備えることができる。
【００５７】
随意には、ハンドル手段が第１の形状形態及び第２の形状形態をとるように操作可能な双安定の長手部材を含み、ハンドル手段が第１の形状形態にある場合に、ハンドル手段の対応するパークモード位置から対応するパーク解除モード位置への回転により、セレクタ軸がパークモード位置からパーク解除モード位置へ回転可能であり、セレクタ軸がパーク解除モード位置にある状態でハンドル手段が第２の形状形態をとるように操作可能で、セレクタ軸がパーク解除モード位置にある状態でハンドル手段が第２の形状形態にある状態で、自動車の１又は複数の部品と干渉することによりハンドル手段がパークモード位置に回転して戻ることが抑制されることを含む。
【００５８】
更に随意には、自動車は、ハンドル手段がそのパーク解除モード位置にあり第２の形状形態にある場合に、ハンドル手段の一部が自動車の１又は複数の部品により定義された凹部に侵入し、これによりハンドル手段がパークモード位置に回転することを抑制するように配置されている。
【００５９】
ロック手段はフック部材を含むことができる。
【００６０】
随意には、フック部材がハンドル手段に接続されており、フック部材がセレクタ軸の回転軸に関して実質的に固定された位置にあるアンカーポイントに引っかけるように操作可能であり、これによりセレクタ軸をパーク解除モード位置にロックする。
【００６１】
更に随意には、アンカーポイントがフック部材を引っかけることが可能なロッキングピン部材を収容するように配置可能な開口部を含む。
【００６２】
代替的には、フック部材がセレクタ軸の回転軸に関して実質的に固定されたアンカーポイントに接続されることができ、フック部材が、ハンドル手段に引っかけられるように操作可能であり、これによりハンドル手段の移動を抑えてセレクタ軸を解除モード位置に維持する。
【００６３】
有利には、ロック手段は、トランスミッションセレクタ軸を解除モード位置にピン留めするように操作可能なロッキングピン部材を含むことができる。
【００６４】
ハンドルの部材が、ロッキングピン部材のハンドルの部材の一部に形成された開口部への挿入によってパーク解除モード位置にロックされるように操作可能である。
【００６５】
随意には、ロッキングピン部材が、ロッキングピン部材を開口部内でロックすることが可能な保持手段を含み、これにより、ロッキングピン部材が最初に外されるまでロッキングピン部材が取り外されることを抑制する。
【００６６】
保持手段が、ロッキングピン部材の実質的にＴ形状部の形態で設けられており、保持手段が開口部に導入可能でロッキングピン部材がロッキングピン部材を開口部内でロックするようにねじられるように、ロッキングピン部材及び開口部が配置されている。
【００６７】
自動車は、ボーデンケーブル機構のプル部材が引っ張られる時にセレクタ軸をパークモード位置からパークモード解除位置へ回転させるように操作可能なボーデンケーブル機構を含むことができる。
【００６８】
本発明の更なる側面によれば、パーク手段が提供され、パーク手段が電力の非存在下でパーク手段の操作モード選択するための電気的に駆動するセレクタ軸を含み、セレクタ軸が、パーク位置とパーク解除位置との間でパーク手段を解除するために回転可能であり、パーク手段がセレクタ軸をパーク解除位置にロックするためのロック手段を含み、ロック手段が、１又は複数の部材の第１の方向及び第２の方向それぞれへの手動の移動又は回転によってセレクタ軸をパーク解除位置にロックするように操作可能であり、第１の方向が第２の方向と異なる。
【００６９】
本発明の一側面によれば、トランスミッションのセレクタ軸の回転によりトランスミッションをパーク位置から解除するための方法であって、以下の工程：
セレクタ軸をパーク位置からパーク解除位置へ回転させることと；
ロック手段によってセレクタ軸を解除位置へロックすることと
を含み、軸を解除位置へ回転させてその後に軸を解除位置でロックする連続的な工程が、１又は複数の部材の第１の方向及び第２の方向それぞれへの移動又は回転を必要とし、第１の方向が第２の方向と異なる方法が提供される。
【００７０】
よって、軸を解除位置へ回転させる工程が、１又は複数の部材の第１の方向への移動又は回転を必要とし、軸をロックする工程が、１又は複数の部材の第１の方向とは異なる第２の方向への移動又は回転を含む。
【００７１】
本発明の側面によれば、軸の回転により自動車の固定化機能を解除するための方法であって、以下の工程：
軸を固定化位置から解除位置へ回転させることと；
ロック手段によって軸を解除位置でロックすることと
を含み、軸を解除位置へ回転させてその後に軸を解除位置でロックする連続的な工程が、１又は複数の部材の第１の方向及び第２の方向それぞれへの手動の移動又は回転を必要とし、第１の方向が第２の方向と異なる方法が提供される。
【００７２】
固定化機能は、例えば、パーキングブレーキなどのブレーキ、或いは、オートマチックトランスミッションのパークモードなどの自動車の移動を阻止して固定化するための任意の他の適切な機能であり得る。
【００７３】
本出願の範囲内において、上述の段落と特許請求の範囲及び／又は以下に詳細な説明と図面とに記載されている種々の側面、実施形態、実施例、代替物、特にそれらの特徴は、独自に又はその任意の組み合わせにおいて実施できることが想定される。例えば、ある実施形態に関連して説明した特徴は、このような特徴が相反することが無い限り、全ての実施形態に適用できる。
【図面の簡単な説明】
【００７４】
【図１】図１（ａ）は、本発明の実施形態に係るオートマチックトランスミッションを示し、図１（ｂ）は、ロック手段が導入される前のトランスミッションの解除レバーを示し、図１（ｃ）は、セレクタ軸をパーク解除位置でロックするためにロック手段が導入された後の解除レバーを示す。
【図２】図２は、本発明の代替的な実施形態に係る解除レバー機構を示し、図２（ａ）は、ロック手段が導入される前、図２（ｂ）はセレクタ軸をパーク解除位置でロックするためにロック手段が導入された後を示す。
【図３】図３は、本発明の更なる実施形態に係る解除レバー機構を示す。
【図４】図４は、本発明の更に別の実施形態に係るトランスミッション解除機構を示す。
【図５】図５は、本発明の実施形態に係るトランスミッション解除機構を示す。
【発明を実施するための形態】
【００７５】
本発明の実施形態を、添付する図面を参照しながら例示の目的のみにおいて説明する。
【００７６】
図１（ａ）は、本発明の実施形態に係るオートマチックトランスミッション１１０を示す。トランスミッションは、トランスミッションモードセレクタ軸１２２を回転させるために操作可能なセレクタレバー１２０を有する。セレクタ軸１２２は、使用時においては、軸１２２の回転位置に応じてトランスミッションの操作に必要なモードを選択するように操作可能である。アクチュエーター（図示せず）は、通常の使用においてはセレクタ軸１２２を回転させるために用いられる。ある実施形態では、アクチュエーターは、電気アクチュエーターであってもよい。
【００７７】
図１（ｂ）に示すように、セレクタレバー１２０は、Ｃ形状部１２０Ｃを形成するために、自由端で折り曲げられている。１組の揃えられたサービスピン開口部１２５がＣ形状部の（Ｃ形状が実質的に直立している図１に示す向きに対する）上下部分に形成されている。サービスピン開口部１２５は、開口部１２５にサービスピン１３０を挿入できるような位置に配置されている。２つの離間した開口部１２５の存在によって、サービスピン１３０が、レバー１２０に対して実質的に固定された向きに保持可能になることが理解されるべきである。
【００７８】
セレクタレバー１２０は、操作者によってパーク位置Ｐ１からパーク解除位置Ｐ２へ手動で回転させてもよい。トランスミッション１１０のばね付勢機構は、レバー１２０がパーク位置Ｐ１からずれたときにレバー１２０をパーク位置Ｐ１へ戻すように促す。
【００７９】
パーク解除位置Ｐ２にある場合、セレクタレバー開口部１２５は、トランスミッション１１０のハウジング又はケーシング１１０Ｈ内に設けられたブラインドピン受け開口部１１５と整合する。
【００８０】
使用時には、図１（ｃ）に示すように、パーク解除位置Ｐ２にあるセレクタレバー１２０を用いて、サービスピン１３０が、セレクタレバー１２０内の開口部１２５及びハウジング１１０Ｈ内のピン受け開口部１１５に挿入され得る。セレクタレバー１２０は、上記ばね機構の付勢の下、位置Ｐ１に戻るように動き、サービスピン１３０をピン受け開口部１１５の側壁に接触させるように促す。これにより、セレクタレバー１２０は、パーク解除位置Ｐ２内に保持される。
【００８１】
レバー１２０が実質的にＣ形状の形態に折り曲げられているという特徴は、サービスピン１３０がピン受け開口部１１５から外れるようになるというリスクが低減するという利点を有する。ピン受け開口部が十分に深く形成される場合は、サービスピン１３０を実質的に固定された向きで保持するために、レバー１２０に２つのサービスピン開口部を設けるための条件が除かれることが理解されるべきである。
【００８２】
セレクタレバー１２０は、サービスピン１３０を取り除くことによって、パーク位置Ｐ１へ戻ることができる。図１及びその他の実施形態では、セレクタレバー１２０は、レバーを動かす時にユーザーによって指の圧力が作用され得る実質的に平坦な表面を有する。実質的に平坦な表面の存在により、レバーを回す際のユーザーの体験を改善し、ユーザーの指に損傷を与えるというリスクを低減させる。
【００８３】
図２は、本発明の代替的な実施形態に係るセレクタレバー機構を示す。図２の実施形態において図１の実施形態と類似する特徴は、前につく数字を１の代わりに２とした類似する引用符号で示す。
【００８４】
その機構では、その自由端で単一の屈曲を有し、Ｃ形状機構ではなくＬ形状機構を形成するトランスミッションモードセレクタレバー２２０が設けられている。単一のサービスピン開口部２２５がレバー２２０に設けられている。対応するサービスピン受け開口部２１５がトランスミッションハウジング２１０Ｈ内に設けられている。
【００８５】
図２の実施形態では、ピン受け開口部２１５は、図１の実施形態のそれよりも深く、セレクタレバー２２０に複数の開口部を形成する必要無しに、その中にサービスピン２３０を保持可能にするために十分に深いものである。すべてのトランスミッションハウジング２１０Ｈがそこに十分に深いピン受け開口部２１５を形成可能とするものではなく、図１の機構がある実施形態では好適であることが理解されるべきである。
【００８６】
ピン２３０上のレバー２２０の狭持動作によってサービスピン２３０がそこに保持可能とするために、ピン受け開口部２１５が十分に深いことが理解されるべきである。狭持動作は、図１の実施形態に関して上述したように、レバー２３０がパーク位置Ｐ１から外れている場合にそれを戻すことを促すトランスミッションのばね付勢機構によって課された復元力の下で課される。
【００８７】
ある実施形態では、サービスピン１３０、２３０は、開口部１１５、２１５からのピン１３０、２３０の偶発的な解除を抑制するため、ピン受け開口部１１５、２１５内でロックされるよう動作可能なものとすることができる。ある実施形態では、開口部内での保持を可能にするために、サービスピン１３０、２３０が成形される。例えばある実施形態では、サービスピン１３０、２３０は、実質的にＴ形状の自由端部を有する。サービスピン１３０、２３０は、ピン受け開口部１１５、２１５内へ挿入され、挿入されると回転するように配置されており、その結果、Ｔ形状部のクロスバーが、開口部１１５、２１５を画定するトランスミッションハウジング１１０Ｈ、２１０Ｈの一部と干渉することによって、サービスピン１３０、２３０の引き抜けを抑制する。ある実施形態では、サービスピン１３０、２３０は、トランスミッションハウジング１１０Ｈ、２１０Ｈ内に形成された凹部を有するクロスバーに係合するように動作可能である。ピン受け開口部１１５、２１５内にサービスピン１３０、２３０を保持するための他の手段もまた有用である。
【００８８】
図３は、サービスピンの使用を必要としない本発明の更なる実施形態に係るセレクタレバー機構を示す。図３（ｂ）の実施形態において、図１の実施形態と類似する特徴は、前につく数字を１の代わりに３とした類似する引用符号で示す。
【００８９】
図３は、凹部３１５をその中に有するオートマチックトランスミッションハウジング３１０Ｈを示す。セレクタレバー３２０は、トランスミッションセレクタ軸３２２に接続されており、軸がパーク位置にあるときにトランスミッションをパークモードから解除するためにその軸３２２を回転させるように操作可能である。セレクタレバー３２０は、レバー３２０の一部がトランスミッションハウジング３１０Ｈへ向けて折れ曲がり、フック状先端部３２０Ｔを形成するフック状端部を有する。
【００９０】
セレクタレバー３２０は、双安定構造であり、２つの構成のうちの１つになるように動作可能である。第１の構成Ｃ１において、レバー３２０の長手方向軸線Ａは、セレクタ軸３２２からフック状先端部３２０Ｔに向けて実質的に一直線である。
【００９１】
第２の構成Ｃ２において、セレクタレバー３２０の長手方向軸線Ａは、フック状先端部３２０Ｔがハウジング３１０Ｈ内に形成された凹部３１５内に突出するように、レバー３２０の長さに沿ってハウジング３１０Ｈへ向けて曲がっている。凹部は、レバー３２０のパーク解除位置に対応するハウジング３１０Ｈ内に形成されている。したがって、セレクタレバー３２０とともに使用するときは、第１の構成Ｃ１で、レバー３２０はパーク解除位置に回転することができ、また、レバー３２０は、フック状先端部３２０Ｔが凹部３１５内へ突出するように、第２の構成Ｃ２に曲がる。レバー３２０の、パーク位置へ戻る回転は、レバー３２０が第１の構成Ｃ１へ戻されるまで、フック状先端部３２０Ｔが凹部３１５の側壁と当接することによって抑制される。
【００９２】
ある実施形態では、セレクタレバー３２０は、双安定金属ストリップ機構で形成されている。
【００９３】
図４は、本発明の代替的な実施形態に係るセレクタレバー機構を示す。図４の実施形態において、図１の実施形態と類似する特徴は、前につく数字を１の代わりに４とした類似する引用符号で示す。
【００９４】
図４の実施形態では、オートマチックトランスミッション４１０のトランスミッションセレクタ軸４２２は、上述の実施形態と同様の方法でセレクタレバー４２０をパーク位置Ｐ１からパーク解除位置Ｐ２へ回転させることによりパーク位置からパーク解除位置へ回転可能である。セレクタレバー４２０は、ボーデンケーブル４４０のインナーケーブル４４１に接続されている。インナーケーブル４４１の反対端は、リングプルアクチュエーター機構４５０のリングプル部材４５４に接続されている。
【００９５】
リングプル部材４５４は、アクチュエーター機構４５０のバレル部材４５２内をスライド可能である。バレル部材４５２は、ボーデンケーブル４４０の外側シース４４２に接続されている。ボーデンケーブル４４０が配置され、バレル部材４５２からリングプル部材４５４を引き抜くことによって、トランスミッションセレクタレバー４２０はパーク位置Ｐ１からパーク解除位置Ｐ２へ回転し得る。セレクタレバー４２０がパーク解除位置Ｐ２を採ると、リングプル部材４５４がバレル部材４５２に向けて移動することを防ぐためにサービスピン４３０がリングプル部材４５４のステム４５４Ｓ内の開口部に挿入される。オートマチックトランスミッション４１０のばね付勢機構は、サービスピン４３０を除去した場合にセレクタレバー４２０がパーク位置Ｐ１に回転してリングプル部材４５４のステム４５４Ｓをバレル部材４５２内へ戻し入れるように、セレクタレバー４２０をパーク位置Ｐ１に付勢することが理解されるべきである。ある実施形態では、レバー４２０の移動にボーデンケーブル４４０によって課される任意の摩擦力を補填するために、更なる付勢手段がセレクタレバー４２０をパーク位置Ｐ１に促すために設けられる。
【００９６】
リングプルアクチュエーター機構４５０は、操作者によってすぐにアクセスすることが可能な任意の適切な位置に搭載されることが理解されるべきである。例えば、リングプルアクチュエーター機構４５０は、自動車の車室内に搭載されてもよい。代替的には、リングプルアクチュエーター機構４５０は、エンジン室又は任意の他の適切な位置に搭載されてもよい。図４の実施形態は、セレクタ軸４２２上に取り付けられたセレクタレバー４２０へのアクセスが困難な自動車に特に有用であることがあると理解されるべきである。これは、特に縦置き（南北向きの）エンジン及びトランスミッションアッセンブリの場合に該当し得る。
【００９７】
ある実施形態では、リングプル部材４５４は、セレクタレバー４２０がリングプル部材４５４の回転によってパーク解除位置Ｐ２をとる位置にロックされ得る。リングプル部材４５４をロックするための回転は、例えばリングプル部材４５４がセレクタレバー４２０を回転させるために引っ張られるリングプル部材４５４の軸の周りを回転することであり得る。他の機構もまた有用である。
【００９８】
図５は、本発明の更なる実施形態に係るオートマチックトランスミッション５１０を示す。図５の実施形態において、図１の実施形態と類似する特徴は、前につく数字を１の代わりに５とした類似する引用符号で示す。
【００９９】
トランスミッション５１０のパーク解除レバー５２０は、トランスミッションがパークモードをとるパーク位置Ｐ１とトランスミッションがパークモードから図１の実施形態のトランスミッション１１０と同様の手順で解除されるパーク解除位置Ｐ２との間で操作可能である。フック部材５６０は、解除レバー５２０に接続されて表されている。本実施形態では、フック部材５６０が永久に解除レバー５２０に接続されることが示されているが、ある実施形態では、フック部材５６０がパーク解除位置Ｐ２で解除レバー５２０をロックする必要がある場合に、レバー５２０のみに接続される場合もある。
【０１００】
パーク解除位置にある解除レバー５２０をロックするため、レバーはパーク位置Ｐ１からパーク解除位置Ｐ２へ揺動されて、フック部材５６０が、トランスミッション５１０のハウジング５１０Ｈから突出するピン要素５３０のまわりに引っかけられる。これにより、フック部材５６０は、解除レバー５２０をパーク解除位置Ｐ２に維持する。ある実施形態では、ピン要素５３０は、永久にトランスミッションハウジング５１０Ｈに取り付けられ、他の代替的な実施形態では、ピン要素５３０はそこに固定して取り付けられる。ある実施形態では、ピン要素５３０は、必要に応じてハウジング５１０Ｈに対して解放可能に取り付け可能なものである。
【０１０１】
トランスミッションをパーク解除位置Ｐ２から解除することが必要な場合、フック部材５６０は、ピン要素５３０から外されてトランスミッション５１０のばね付勢機構の付勢の下でパーク位置Ｐ１へ戻されることが可能になる。フック部材５６０は、フック部材５６０が使用時ではない場合にはレバー５２０の移動の正常範囲が明確になるように構成され得る。
【０１０２】
ある実施形態では、解除レバー５２０をパーク解除位置Ｐ２に保持することが必要な場合には、フック部材５６０は、解除レバー５２０とトランスミッションハウジング５１０Ｈだけに接続されるように構成される。よって、フック部材５６０は、トランスミッション５１０とは別の付属品の形態で提供することができる。
【０１０３】
ある実施形態では、フック部材５６０はトランスミッションハウジング５１０Ｈに接続され、必要時に解除レバー５２０にひっかけられる。
【０１０４】
本発明の実施形態では、トランスミッションのパークモードが、パーク解除レバーによって比較的直接的な方法で解除することができ、解除位置でロックすることができるという利点を有する。自動車は、一度パークモードが解除されて予想外に動き始める場合、解除位置でロックされる前にパーク解除レバーを解除することによってパークモードに戻ることができる。
【０１０５】
セレクタ軸を回転させてセレクタ軸をブレーキ解除位置にロックするために、１又は複数の部材がそれぞれ異なる方向に移動しなければならないため、操作者が一度の動作でセレクタ軸を回転させてセレクタ軸をロックするリスクが低減される。
【０１０６】
本発明の実施形態は、オートマチックトランスミッションのパーク解除機能に関して説明してきたが、パーキングブレーキの駆動が電気アクチュエーターによって制御される電動パーキングブレーキ（ＥＰＢ）システムと同様なブレーキ手段機能性を有する他のトランスミッションにも利用され得ることが理解されるべきである。
【０１０７】
この明細書の説明及び特許請求の範囲において、単語「備える（ｃｏｍｐｒｉｓｅ）」、「含む（ｃｏｎｔａｉｎ）」及びこれら単語の変形、例えば「備えている（を備える）」及び「備えた（を備える）」は、「含むがこれに限定されない（ｉｎｃｌｕｄｉｎｇ  ｂｕｔ  ｎｏｔ  ｌｉｍｉｔｅｄ  ｔｏ）」という意味であり、他の部分、付加物、構成要素、数値又は工程等を除外することを意図するものではない。
【０１０８】
この明細書の説明及び特許請求の範囲において、文脈上他の意味に解すべき場合を除き、単数形は複数形を包含するものである。特に、不定冠詞が用いられる場合、文脈上他の意味に解すべき場合を除き、単数のみならず複数をも意図することが理解されるべきである。
【０１０９】
本発明の特定の側面、実施形態又は実施例と合わせて説明される特徴、数値、特性、化合物、化学的な構成成分又は群は、矛盾のない限りここに記載された任意の他の側面、実施形態又は実施例に適用可能であることが理解されるべきである。
【符号の説明】
【０１１０】
１１０Ｈ、２１０Ｈ、３１０Ｈ、５１０Ｈ…トランスミッションハウジング(ハウジング、ケーシング）
１１０、２１０、３１０、４１０、５１０…オートマチックトランスミッション(トランスミッション)
１１５、２１５…開口部
１２０Ｃ…Ｃ形状部
１２０、２２０、３２０、４２０…セレクタレバー（レバー）
１２２、２２２、３２２、４２２…セレクタ軸
１２５、２２５…開口部
１３０、２３０、４３０…サービスピン
３１５…凹部
３２０…フック状先端部
４４０…ボーデンケーブル
４４１…インナーケーブル
４４２…外側シース
４５０…アクチュエーター機構
４５２…バレル部材
４５４…リングプル部材
４５４Ｓ…ステム
５２０…解除レバー
５３０…ピン要素
５６０…フック部材
【図１】
2018025303.tif 000003
【図２】
2018025303.tif 000004
【図３】
2018025303.tif 000005
【図４】
2018025303.tif 000006
【図５】
2018025303.tif 000007
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
動力駆動の自動車のパーク手段を動力の非存在下で手動解除するための方法であって、以下の連続的な工程：
動力駆動のセレクタ軸に直接的に接続されたハンドルを、直接的な手の力で前記ハンドルの解除モード位置へ回転させることにより、前記セレクタ軸を、１又は複数の車輪が前記パーク手段によってロックされるパークモード位置から、前記１又は複数の車輪が前記パーク手段によって解除されるパーク解除モード位置へ回転させることと、
ロッキングピン部材によってセレクタ軸を前記解除モード位置にピン留めすることにより、前記セレクタ軸を前記解除モード位置にロックすること
を備え、
前記ハンドルを回転させる際に、前記ハンドルがユーザの手に直接的に接触する方法。
【請求項２】
前記セレクタ軸を前記解除モード位置にロックする工程が、前記ハンドルの開口部に前記ロッキングピン部材を挿入すること、及び、前記ロッキングピン部材を前記セレクタ軸の回転軸に関して実質的に固定された開口部にピン留めすることを備える請求項１に記載の方法。
【請求項３】
前記ロッキングピン部材を前記開口部にピン留めする工程が、前記ロッキングピン部材をその保持手段によって前記開口部内にロックし、これにより前記ロッキングピン部材が最初にロック解除されるまで前記ロッキングピン部材が外れることを抑制することを備える請求項２に記載の方法。
【請求項４】
前記ロッキングピン部材を前記開口部にロックする工程が、前記ロッキングピン部材の実質的にＴ形状を有する保持部を前記開口部へ挿入すること、及び、前記ロッキングピン部材をねじることを備える請求項３に記載の方法。
【請求項５】
動力駆動の自動車のパーク手段を動力の非存在下で手動解除するための方法であって、以下の連続的な工程：
動力駆動のセレクタ軸に直接的に接続されたハンドルを、直接的な手の力で前記ハンドルの解除モード位置へ回転させることにより、前記セレクタ軸を、１又は複数の車輪が前記パーク手段によってロックされるパークモード位置から、前記１又は複数の車輪が前記パーク手段によって解除されるパーク解除モード位置へ第１の方向に回転させることと、
前記ハンドルの少なくとも一部を第２の方向に移動させることにより前記セレクタ軸を前記解除モード位置にロックし、これにより前記セレクタ軸を前記解除モード位置にロックすること
を備え、
前記第１の方向と前記第２の方向が実質的に直交する方法。
【請求項６】
前記セレクタ軸を前記解除モード位置にロックする工程が、前記ハンドルをラッチ機構によってロックすることを備える請求項５に記載の方法。
【請求項７】
前記ハンドルが、第１の形状形態及び第２の形状形態をとるように操作可能な双安定の長手部材を含み、
前記方法が、前記第１の形状形態の前記長手部材とともに前記ハンドルを前記セレクタ軸の軸周りで回転させ、これにより前記セレクタ軸を前記パークモード位置から前記パーク解除モード位置へ回転させること、及び、その後、１又は複数の部品との前記ハンドルの干渉によって前記セレクタ軸が前記パークモード位置へ回転して戻ることを抑制するように、前記長手部材が前記第２の形状形態をとることを引き起こすことを備える請求項５又は６に記載の方法。
【請求項８】
前記長手部材が前記第２の形状形態をとることを引き起こす工程が、前記ハンドルの一部を部品の一部に形成された凹部に入り込ませることを引き起こすことを備える請求項７に記載の方法。
【請求項９】
動力駆動の自動車のパーク手段を動力の非存在下で手動解除するための方法であって、以下の連続的な工程：
動力駆動のセレクタ軸に直接的に接続されたハンドルを、直接的な手の力で回転させることにより、前記セレクタ軸を、１又は複数の車輪が前記パーク手段によってロックされるパークモード位置から、前記１又は複数の車輪が前記パーク手段によって解除されるパーク解除モード位置へ回転させることと、
前記セレクタ軸をフック部材によって前記解除モード位置にロックすること
を備える方法。
【請求項１０】
前記セレクタ軸を前記解除モード位置にロックする工程が、前記セレクタ軸に接続されたハンドルを前記ハンドルの解除モード位置へ回転させることを備える請求項９に記載の方法。
【請求項１１】
前記フック部材の一部が前記ハンドルに接続されており、前記セレクタ軸を前記解除モード位置にロックする工程が、前記フック部材の他の部分をアンカーポイントに引っかけることを備え、前記アンカーポイントが、前記軸の回転軸に対して実質的に固定された位置に設けられる請求項１０に記載の方法。
【請求項１２】
前記アンカーポイントが開口部を備え、前記方法が、ロッキングピン部材を前記開口部に挿入すること、及び、前記フック部材を前記ロッキングピン部材に引っかけることを備える請求項１１に記載の方法。
【請求項１３】
前記フック部材の第１部分が、前記軸の回転軸に対して実質的に固定された位置に設けられたアンカーポイントに接続されており、前記セレクタ軸を前記解除モード位置にロックする工程が、前記フック部材の第２部分を前記ハンドルに引っかけることを備える請求項１０に記載の方法。
【請求項１４】
前記セレクタ軸を前記解除モード位置に回転させること、及び、その後に前記セレクタ軸を前記解除モード位置にロックすることの連続的な工程が、第１の方向へのハンドルの回転および、第２の方向への前記ロッキングピン部材の手動の移動もしくは回転を備え、前記第１の方向が前記第２の方向と異なる請求項１〜４のいずれか１項に記載の方法。
【請求項１５】
前記セレクタ軸を前記解除モード位置に回転させること、及び、その後に前記セレクタ軸を前記解除モード位置にロックすることの工程が、実質的に直交する第１の方向及び第２の方向のそれぞれへの前記ハンドルの回転および前記ロッキングピン部材の移動もしくは回転を必要とする請求項１４に記載の方法。
【請求項１６】
前記方法が、オートマチックトランスミッションをパークモードから解除するための方法である請求項１〜１５のいずれか１項に記載の方法。
【請求項１７】
前記方法が、電動パーキングブレーキをブレーキオンモードから解除するための方法である請求項１〜１５のいずれか１項に記載の方法。
【請求項１８】
自動車の１又は複数の車輪を実質的に静止した状態でロックするように操作可能な動力駆動のパーク手段であって、前記パーク手段の操作モードを選択するための動力駆動のセレクタ軸を備え、前記セレクタ軸が、１又は複数の車輪が前記パーク手段によってロックされるパークモード位置と、１又は複数の車輪が前記パーク手段によって解除されるパーク解除モード位置との間で回転可能である前記パーク手段と、
前記セレクタ軸に直接的に接続されたハンドルであって、前記軸をその回転によって前記解除モード位置に回転させるように直接的な手の力で操作可能な前記ハンドルと
を備え、
前記セレクタ軸が、ロッキングピン部材を備えるロック手段の、開口部への挿入により、前記解除モード位置でロックされることができ、
前記セレクタ軸が連続的に、前記パーク解除モード位置に回転して前記ロック手段により前記パーク解除モード位置にロックされることができるように、前記パーク手段が操作可能であり、
前記ハンドルが回転する際に、前記ハンドルがユーザの手に直接的に接触するトランスミッション。
【請求項１９】
前記ハンドルが、前記ハンドルの一部に形成された開口部への前記ロッキングピン部材の挿入によって、前記パーク解除モード位置にロックされるように操作可能である請求項１８に記載のトランスミッション。
【請求項２０】
前記ロッキングピン部材が保持手段を備え、これにより、前記ロッキングピン部材が前記開口部内でロックされることができ、前記ロッキングピン部材が最初にロック解除されるまで前記ロッキングピン部材が外れることを抑制する請求項１８又は１９に記載のトランスミッション。
【請求項２１】
前記保持手段が、前記ロッキングピン部材の実質的にＴ形状部の形態で設けられており、前記保持手段が開口部内に案内されて前記ロッキングピン部材がねじられて前記開口部内で前記ロッキングピン部材をロックするように、前記ロッキングピン部材及び前記開口部が構成されている請求項２０に記載のトランスミッション。
【請求項２２】
自動車の１又は複数の車輪を実質的に静止した状態でロックするように操作可能な動力駆動のパーク手段であって、前記パーク手段の操作モードを選択するための動力駆動のセレクタ軸を備え、前記セレクタ軸が、１又は複数の車輪が前記パーク手段によってロックされるパークモード位置と、１又は複数の車輪が前記パーク手段によって解除されるパーク解除モード位置との間で回転可能である前記パーク手段と、
前記セレクタ軸を前記パーク解除モード位置にロックするためのロック手段と、
前記セレクタ軸に直接的に接続されたハンドルであって、前記軸をその回転によって前記解除モード位置に回転させるように直接的な手の力で操作可能な前記ハンドルと、
を備え、
前記セレクタ軸が連続的に、第１の方向で前記パーク解除モード位置に回転して前記ロック手段により前記ハンドルの少なくとも一部を第２の方向に移動させることにより前記パーク解除モード位置にロックされることができるように、前記パーク手段が操作可能であり、前記第１の方向と前記第２の方向が実質的に直交するトランスミッション。
【請求項２３】
前記セレクタ軸を前記解除モード位置にロックするためのラッチ機構を備える請求項２２に記載のトランスミッション。
【請求項２４】
前記ハンドルが、第１の形状形態及び第２の形状形態をとるように操作可能な双安定の長手部材を備え、前記ハンドルが前記第１の形状形態にある場合に、対応するパークモード位置から対応するパーク解除モード位置への前記ハンドルの回転により、前記セレクタ軸が、前記パークモード位置から前記パーク解除モード位置へ回転可能であり、前記セレクタ軸が前記パーク解除モード位置にある状態で、前記ハンドルが前記第２の形状形態をとるように操作可能であり、前記セレクタ軸が前記パーク解除モード位置にある状態にあり且つ前記ハンドルが前記第２の形状形態にある状態で、前記ハンドルが、自動車の１又は複数の部品と干渉することにより前記パークモード位置へ回転して戻ることが抑制される請求項２２又は２３に記載のトランスミッション。
【請求項２５】
前記ハンドルがその前記パーク解除モード位置の状態にあり且つ前記第２の形状形態にある状態において、前記ハンドルの一部が、自動車の１又は複数の部品により画定される凹部に入り込み、これにより前記ハンドルがその前記パークモード位置に回転して戻ることが抑制される請求項２４に記載のトランスミッション。
【請求項２６】
自動車の１又は複数の車輪を実質的に静止した状態でロックするように操作可能な動力駆動のパーク手段であって、前記パーク手段の操作モードを選択するための動力駆動のセレクタ軸を備え、前記セレクタ軸が、１又は複数の車輪が前記パーク手段によってロックされるパークモード位置と、１又は複数の車輪が前記パーク手段によって解除されるパーク解除モード位置との間で回転可能である前記パーク手段と、
前記セレクタ軸を前記パーク解除モード位置にロックするためのロック手段であって、フック部材を備える前記ロック手段と、
前記セレクタ軸に直接的に接続されたハンドルであって、前記軸をその回転によって前記解除モード位置に回転させるように直接的な手の力で操作可能な前記ハンドルと
を備え、
前記セレクタ軸が連続的に、前記パーク解除モード位置に回転して前記ロック手段により前記パーク解除モード位置にロックされることができるように、前記パーク手段が操作可能であるトランスミッション。
【請求項２７】
前記フック部材が前記ハンドルに接続されており、前記フック部材が、前記セレクタ軸の回転軸に対して実質的に固定された位置にあるアンカーポイントに引っかかって、セレクタ軸を前記パーク解除モード位置にロックするように操作可能である請求項２６に記載のトランスミッション。
【請求項２８】
前記アンカーポイントが、前記フック部材を引っかけることが可能なロッキングピン部材を収容するように構成された開口部を備える請求項２７に記載のトランスミッション。
【請求項２９】
前記フック部材が、前記セレクタ軸の回転軸に対して実質的に固定されたアンカーポイントに接続されており、前記フック部材が、前記ハンドルに引っかけられて、前記ハンドルの動作を抑制するとともに前記セレクタ軸を前記解除モード位置に維持するように操作可能である請求項２８に記載のトランスミッション。
【請求項３０】
電源の非存在下で、第１の方向への前記ハンドルの回転及び、第２の方向への前記ロッキングピン部材の手動の移動もしくは回転により、前記セレクタ軸が、前記パーク解除モード位置に回転するとともに、前記ロック手段によって前記パーク解除モード位置にロックされることができるように、前記パーク手段が操作可能であり、前記第１の方向が前記第２の方向と異なる請求項１８〜２１のいずれか１項に記載のトランスミッション。
【請求項３１】
実質的に直交する第１の方向及び第２の方向のそれぞれへの前記ハンドルの回転および、前記ロッキングピン部材の移動もしくは回転により、前記パーク手段を解除し、前記セレクタ軸を前記解除モード位置にロックするように操作可能である請求項３０に記載のトランスミッション。
【請求項３２】
請求項１８〜３１のいずれか１項に記載のトランスミッションを備える自動車。
【外国語明細書】
2018025303000001.pdf